(57)【要約】【課題】ディスクカートリッジに紐付けられた複数の多層光ディスクに対するデータの検索および再生を安定させる。【解決手段】複数の多層光ディスクの着脱が可能なディスクカートリッジから、それぞれの多層光ディスクを取り出してディスクドライブに装填し、各多層光ディスクに対してデータの記録および再生を行うことが可能な光記録システムにおいて、ディスクカートリッジのＲＦタグに対して記録および読み出しが可能なＲＦタグリード／ライタを設け、複数のディスクドライブにより各多層光ディスクからそれぞれディスクＩＤを読み出させ、ＲＦタグリード／ライタにより、それらのディスクＩＤをＲＦタグに記録させる。各多層光ディスクとＲＦタグにディスクＩＤが記録されている場合、ホスト装置は両ディスクＩＤを照合して、複数の多層光ディスクがディスクカートリッジに対して紐付けられたものであるかどうかを判定する。【選択図】図３
2014029749.tif 000002
【特許請求の範囲】
【請求項１】
複数の光ディスクの着脱が可能とされ、記録部が設けられたディスクカートリッジであって、前記ディスクカートリッジの前記光ディスクおよび前記記録部のいずれか一方に前記複数の光ディスクと前記ディスクカートリッジとを紐付けるための情報が予め記録されており、前記ディスクカートリッジから取り出された前記複数の光ディスクに対して記録および読み出しが可能なディスク記録再生部と、
前記ディスクカートリッジの前記記録部に対して記録および読み出しの少なくとも一方が可能なアクセス部と、
前記ディスク記録再生部および前記アクセス部のいずれか一方により前記情報を読み出させ、他方により前記情報を記録させる制御部と
を具備する光記録システム。
【請求項２】
請求項１に記載の光記録システムであって、
前記制御部は、
前記光ディスクと前記記録部にそれぞれ前記情報が記録されている場合、両情報を照合して、前記複数の光ディスクそれぞれが前記ディスクカートリッジに対して紐付けられたものであるかどうかを判定する
光記録システム。
【請求項３】
請求項１または２に記載の光記録システムであって、
前記情報が、前記光ディスクに予め記録されているディスク識別子および前記記録部に予め記録されているカートリッジ識別子のいずれか一方である
光記録システム。
【請求項４】
複数の光ディスクの着脱が可能とされ、記録部が設けられたディスクカートリッジであって、前記ディスクカートリッジの前記光ディスクに前記複数の光ディスクと前記ディスクカートリッジとを紐付けるための情報が予め記録されており、前記ディスクカートリッジから取り出された前記複数の光ディスクに対して記録および読み出しが可能なディスク記録再生部と、
前記ディスクカートリッジの前記記録部に対して記録および読み出しが可能なアクセス部と、
前記ディスク記録再生部により前記光ディスクからそれぞれ前記情報を読み出させ、前記アクセス部により前記情報を前記記録部に記録させる制御部と
を具備する光記録システム。
【請求項５】
請求項４に記載の光記録システムであって、
前記制御部は、
前記光ディスクと前記記録部にそれぞれ前記情報が記録されている場合、両情報を照合して、前記複数の光ディスクそれぞれが前記ディスクカートリッジに対して紐付けられたものであるかどうかを判定する
光記録システム。
【請求項６】
請求項４または５に記載の光記録システムであって、
前記情報が、前記光ディスクに予め記録されているディスク識別子である
光記録システム。
【請求項７】
請求項６に記載の光記録システムであって、
前記制御部は、
前記光ディスクと前記記録部にそれぞれ前記情報が記録されている場合、両情報を照合して、前記ディスクカートリッジに対して紐付けられた前記光ディスクの欠落を判定する
光記録システム。
【請求項８】
複数の光ディスクの着脱が可能とされ、記録部が設けられたディスクカートリッジであって、前記ディスクカートリッジの前記記録部に前記複数の光ディスクと前記ディスクカートリッジとを紐付けるための情報が予め記録されており、前記ディスクカートリッジから取り出された前記複数の光ディスクに対して記録および読み出しが可能なディスク記録再生部と、
前記ディスクカートリッジの前記記録部に対して読み出しが可能なアクセス部と、
前記アクセス部により前記記録部から前記情報を読み出させ、前記ディスク記録再生部により前記光ディスクに記録させる制御部と
を具備する光記録システム。
【請求項９】
請求項８に記載の光記録システムであって、
前記制御部は、
前記光ディスクと前記記録部にそれぞれ前記情報が記録されている場合、両情報を照合して、前記複数の光ディスクそれぞれが前記ディスクカートリッジに対して紐付けられたものであるかどうかを判定する
光記録システム。
【請求項１０】
請求項８または９に記載の光記録システムであって、
前記情報が、前記記録部に予め記録されているカートリッジ識別子である
光記録システム。
【請求項１１】
複数の光ディスクの着脱が可能とされ、記録部が設けられたディスクカートリッジであって、前記光ディスクおよび前記記録部のいずれか一方に前記複数の光ディスクと前記ディスクカートリッジとを紐付けるための情報が予め記録されたディスクカートリッジ。
【請求項１２】
請求項１１に記載のディスクカートリッジであって、
前記情報が、前記光ディスクに予め記録されているディスク識別子および前記記録部に予め記録されているカートリッジ識別子のいずれか一方である
ディスクカートリッジ。
【発明の詳細な説明】
【技術分野】
【０００１】
本発明は、それぞれ１以上の記録層を有する複数の光ディスクを着脱自在なディスクカートリッジから取り出された複数の光ディスクに記録を行うことが可能な光記録システムと、そのディスクカートリッジに関する。
【背景技術】
【０００２】
ＤＶＤ（Ｄｉｇｉｔａｌ Ｖｅｒｓａｔｉｌｅ Ｄｉｓｋ）、ブルーレイディスク（登録商標）などの光ディスクの大容量化を目的として、記録層を多層化することが行われる。記録層の多層化に伴い、記録層へのデータの記録または再生時のトラックキング制御を、記録層とは別の層に設けられたガイドトラックを用いて行う方式も知られている。
【０００３】
例えば、溝構造によるガイドトラックが設けられたガイドトラック層に３９０ｎｍ〜４２０ｎｍの波長（青色）の光を使用してトラッキング制御を行うとともに、複数の記録層の中の一つの記録層に６５０ｎｍ〜６８０ｎｍの波長（赤色）の光を使用して記録を行う光ドライブ装置などがある（例えば、特許文献１等）。
【０００４】
また、光ディスクには、この光ディスクを光記録システムが識別することが可能なようにディスク毎にユニークなＩＤが記録される場合がある。例えば、特許文献２においては、光ディスクのＢＣＡ（Ｂｕｒｓｔ Ｃｕｔｔｉｎｇ Ａｒｅａ）に記録されているディスクＩＤが光ピックアップユニットにより読み出され、記録再生装置内の不揮発性メモリに、当該光ディスクに対して求められたフォーカスサーボ用の制御値、トラッキングサーボ用の制御値、レーザ制御値などと紐付けて記憶される。次回、同じディスクＩＤの光ディスクが装填された場合、記録再生装置は、不揮発性メモリから、そのディスクＩＤに紐付けられて記憶された上記制御値を読み込み、これらの制御値を用いてフォーカスサーボ、トラッキングサーボ、レーザ光の強度などの調整を行う。これにより、光ディスクが装填される毎に上記制御値を求める必要が無くなり、光ディスクが装填されてから実際にデータの記録再生が開始されるまでの起動時間を短縮することができる。また、この特許文献２には、光ディスクを収容したカートリッジに、当該光ディスクのディスクＩＤをバーコード、ＱＲ（登録商標）コードなどで印刷することなども記載されている。
【先行技術文献】
【特許文献】
【０００５】
【特許文献１】特開２００７−２００４２７号公報
【特許文献２】特開２０１１−１０３１６０号公報
【発明の概要】
【発明が解決しようとする課題】
【０００６】
近年、光ディスクに対するデータ転送速度のさらなる向上を図るため、複数の多層光ディスクに対して複数のディスクドライブを用いて並行して記録／再生を行うことが可能な光記録システムが検討されている。このような光記録システムでは、複数の多層光ディスクをディスクカートリッジに一体に収容した形態でシステムに導入されることが想定されている。光記録システム内では、ディスクカートリッジから、それぞれの多層光ディスクが別々のディスクドライブに装填されるように自動搬送される。
【０００７】
このような光記録システムにおいて、ディスクカートリッジ単位の複数の多層光ディスクは、例えばＲＡＩＤ（Ｒｅｄｕｎｄａｎｔ Ａｒｒａｙｓ ｏｆ Ｉｎｅｘｐｅｎｓｉｖｅ Ｄｉｓｋｓ）の構築などを目的に１つの連続した記録空間として用いられる。しかしながら、ディスクカートリッジに対して多層光ディスクは個別に出し入れされることは不可避であるため、例えば、光記録システム内でのメカ的なトラブルやシステム外での人的なミスなどによって、多層光ディスクの入れ替わりや欠落などが発生する可能性がある。
【０００８】
ディスクカートリッジにおいて多層光ディスクの入れ替わりや欠落などがあると、ディスクカートリッジ単位の複数の多層光ディスクのアクセスに対してエラーが発生する。このアクセスエラーに対してユーザは、その原因をディスクカートリッジにおける多層光ディスクの入れ替わりや欠落などと結び付けることは困難である。故に、ユーザは問題の解決に時間を消費し、結果的にシステムの信頼性に対するユーザによる評価を大きく損ねる可能性があった。
【０００９】
以上のような事情に鑑み、本発明の目的は、ディスクカートリッジとこれに収容される複数の光ディスクとの論理的な紐付けを実現し、ユーザの利便性を向上させることのできる光記録システムおよびディスクカートリッジを提供することにある。
【課題を解決するための手段】
【００１０】
上記目的を達成するため、本発明の一形態に係る光記録システムは、複数の光ディスクの着脱が可能とされ、記録部が設けられたディスクカートリッジであって、前記ディスクカートリッジの前記光ディスクおよび前記記録部のいずれか一方に前記複数の光ディスクと前記ディスクカートリッジとを紐付けるための情報が予め記録されており、前記ディスクカートリッジから取り出された前記複数の光ディスクに対して記録および読み出しが可能なディスク記録再生部と、前記ディスクカートリッジの前記記録部に対して記録および読み出しの少なくとも一方が可能なアクセス部と、前記ディスク記録再生部および前記アクセス部のいずれか一方により前記情報を読み出させ、他方により当該情報を記録させる制御部と、を具備する。
【００１１】
この光記録システムでは、このような構成を有することによって、ディスクカートリッジとこれに収容された複数の光ディスクに明示的な紐付けの情報を共有させることができる。
【００１２】
前記制御部は、前記光ディスクと前記記録部にそれぞれ前記情報が記録されている場合、両情報を照合して、前記複数の光ディスクそれぞれが前記ディスクカートリッジに対して紐付けられたものであるかどうかを判定するものであってよい。
【００１３】
これにより、ディスクカートリッジとこのディスクカートリッジからディスク記録再生部に供給された光ディスクとの紐付けの関係を検証することができる。
【００１４】
光ディスクと前記ディスクカートリッジとを紐付けるための情報としては、前記光ディスクに予め記録されているディスク識別子および前記記録部に予め記録されているカートリッジ識別子のいずれか一方を用いることができる。
【００１５】
本発明の他の形態に係る光記録システムは、複数の光ディスクの着脱が可能とされ、記録部が設けられたディスクカートリッジであって、前記ディスクカートリッジの前記光ディスクに前記複数の光ディスクと前記ディスクカートリッジとを紐付けるための情報が予め記録されており、前記ディスクカートリッジから取り出された前記複数の光ディスクに対して記録および読み出しが可能なディスク記録再生部と、前記ディスクカートリッジの前記記録部に対して記録および読み出しが可能なアクセス部と、前記ディスク記録再生部により前記光ディスクからそれぞれ前記情報を読み出させ、前記アクセス部により前記情報を前記記録部に記録させる制御部と、を具備する。
【００１６】
この光記録システムでは、光ディスクとディスクカートリッジとを紐付けるための情報として、光ディスクに予め記録されているディスク識別子を用いることができる。
【００１７】
この光記録システムでは、前記光ディスクと前記記録部にそれぞれ前記情報が記録されている場合、両情報を照合して、前記複数の光ディスクそれぞれが前記ディスクカートリッジに対して紐付けられたものであるかどうかを判定することができる。
【００１８】
本発明の他の形態に係る光記録システムは、複数の光ディスクの着脱が可能とされ、記録部が設けられたディスクカートリッジであって、前記ディスクカートリッジの前記記録部に前記複数の光ディスクと前記ディスクカートリッジとを紐付けるための情報が予め記録されており、前記ディスクカートリッジから取り出された前記複数の光ディスクに対して記録および読み出しが可能なディスク記録再生部と、前記ディスクカートリッジの前記記録部に対して読み出しが可能なアクセス部と、前記アクセス部により前記記録部から前記情報を読み出させ、前記ディスク記録再生部により前記光ディスクに記録させる制御部と、を具備する。
【００１９】
この光記録システムでは、光ディスクとディスクカートリッジとを紐付けるための情報として、記録部に予め記録されているカートリッジ識別子を用いることができる。
【００２０】
本発明の別の側面に係るディスクカートリッジは、複数の光ディスクの着脱が可能とされ、記録部が設けられたディスクカートリッジであって、前記複数の光ディスクおよび前記記録部のいずれか一方に当該光ディスクと前記ディスクカートリッジとを紐付けるための情報が予め記録されたものである。
【発明の効果】
【００２１】
以上のように、本発明によれば、ディスクカートリッジとこれに収容される複数の光ディスクとの論理的な紐付けを実現して、ユーザの利便性を向上させることができる。
【図面の簡単な説明】
【００２２】
【図１】本発明の一実施形態に係る光記録システムの構成を示す図である。
【図２】図１の光記録システムにおけるディスクカートリッジを説明するための図である。
【図３】第１の実施形態の光記録システムにおけるディスクカートリッジ、ドライブユニットおよびホスト装置の構成を示す図である。
【図４】多層光ディスクの構造を示す断面図である。
【図５】図４の多層光ディスクの平面図である。
【図６】第１の実施形態の光記録システムにおけるディスクドライブの構成を示す図である。
【図７】第１の実施形態の光記録システムにおける多層光ディスクの正規判定に関するフローチャートである。
【図８】変形例１の多層光ディスクにおけるガイド層および記録層の物理フォーマットを示す図である。
【図９】本発明の第２の実施形態におけるディスクカートリッジを説明するための図である。
【図１０】第２の実施形態の多層光ディスクにおけるガイド層および記録層の物理フォーマットを示す図である。
【図１１】第２の実施形態における多層光ディスクの正規判定に関するフローチャートである。
【発明を実施するための形態】
【００２３】
以下、図面を参照しながら、本発明の実施形態を説明する。
図１は、本発明の一実施形態に係る光記録システムを示す図である。
【００２４】
図１は光記録システムの全体の構成を示す図である。
この光記録システム１は、ディスクカートリッジ１０と、ディスク搬送機構２０と、ドライブユニット３０と、ＲＡＩＤコントローラ４０と、ホスト装置５０とを備える。以下、それぞれの詳細について説明する。
【００２５】
［ディスクカートリッジ１０］
ディスクカートリッジ１０は、複数の多層光ディスク１１が個別に着脱自在に収容されるユニットである。なお、本発明においては、ディスクカートリッジ１０に収容される光ディスクは必ずしも多層光ディスクである必要はなく、１以上の記録層を有する光ディスクであればよい。
【００２６】
図２はディスクカートリッジ１０とこの中の複数の多層光ディスク１１の収容形態を示す図である。ディスクカートリッジ１０内での複数の多層光ディスク１１の収容形態としては平積み、縦並びなどが想定される。いずれの場合も、ディスクカートリッジ１０に対して多層光ディスク１１の出し入れが円滑に行われるように、隣り合う多層光ディスク１１間には一定の隙間が設けられることが好ましい。ディスクカートリッジ１０の形状は、ユーザによるハンドリング性、多層光ディスク１１の収容効率などの点から、例えば直方体形状、円筒形状などが想定される。図１の例では、複数の多層光ディスク１１を平積みで収容した直方体形状のディスクカートリッジ１０が用いられる。
【００２７】
図３は、ディスクカートリッジ１０、ドライブユニット３０およびホスト装置５０の構成を示す図である。
ディスクカートリッジ１０の少なくとも一つの側面には多層光ディスク１１の出し入れのための開口部１０１と、この開口部１０１を開閉する扉（図示せず）とが設けられている。扉はディスク搬送機構２０によるディスクカートリッジ１０からの多層光ディスク１１の出し入れの動作と連動して開閉され、その他のときは閉状態とされる。ディスクカートリッジ１０に収容された複数の多層光ディスク１１は、ディスク搬送機構２０によって取り出され、ドライブユニット３０内の複数のディスクドライブ３１に選択的に搬送（装填）される。
【００２８】
図１ないし図３に示すように、ディスクカートリッジ１０には、これに収容される複数の多層光ディスク１１のディスクＩＤ（ディスク識別子）を記録可能な「記録部」である例えばＲＦ（Ｒａｄｉｏ Ｆｒｅｑｕｅｎｃｙ）タグ１５が装着されている。ＲＦタグ１５は、具体的には、アンテナ部と、不揮発性の記憶素子および信号処理などのための演算処理回路などを備える回路部とを有する。なお、ＲＦタグ１５は、パッシブタグ、アクティブタグ、セミアクティブタグのいずれであってもよく、電波の伝達方式として、電磁誘導方式、電波方式のいずれを採用したものであってもよい。
【００２９】
なお、本発明において、ディスクカートリッジ１０の構成は図２のものに限定されない。ディスクカートリッジ１０の形状、開口部の数や位置、扉の有無、複数の多層光ディスク１１の収容形態など、様々な変形が可能である。
また、記録部としてＲＦタグ１５を用いることを想定したが、本実施形態では多層光ディスク１１のディスクＩＤを記録して読み出せるものであればよく、例えば、磁気記録媒体、光記録媒体、半導体メモリなどであってもよい。
【００３０】
［多層光ディスク１１］
本実施形態においては、ディスクカートリッジ１０に収容される多層光ディスク１１は、ガイド層と記録層とが別々の層に分離して形成された、いわゆるガイド層分離型多層光ディスクである場合を想定している。
【００３１】
図４は多層光ディスク１１の構造を示す断面図である。
多層光ディスク１１は、ガイド層１１２と１以上の記録層１１３とを有する。同図の多層光ディスク１１の例では記録層１１３の層数は"４"である。ガイド層１１２とこれに最も近い記録層１１３との間、隣り合う記録層１１３の間との間には光透過性を有する中間層１１４がそれぞれ介層されている。これらの層は、光ピックアップ３２からの記録再生光Ｒ１およびガイド光Ｒ２が入射される側から、保護層１１５、記録層１１３、中間層１１４、記録層１１３、中間層１１４、記録層１１３、中間層１１４、記録層１１３、中間層１１４、ガイド層１１２の順に積層配置される。
【００３２】
ガイド層１１２において記録層１１３に対向する側の面には、ランド・グルーブ構造によるガイドトラック１２１が螺旋状に設けられている。ガイドトラック１２１の側壁面にはウォブルによって、ディスク全周にわたる位置情報を示す物理アドレス情報が記録されている。ガイドトラック１２１は、例えばＤＶＤ（Ｄｉｇｉｔａｌ Ｖｅｒｓａｔｉｌｅ Ｄｉｓｋ）の記録再生に用いられる赤色レーザ光に対応するトラックピッチ（０．６４μｍ）で形成される。ランドとグルーブ間のピッチの平均は０．３２μｍである。以後、赤色レーザ光のレーザ光を「ガイド光」と呼ぶ。
【００３３】
本実施形態では、ランド・グルーブ記録を想定しているため、ランド部とグルーブ部が螺旋状に連続するガイドトラック１２１として用いられる。したがって、ガイドトラック１２１のピッチは０．３２μｍとなる。
【００３４】
ガイド層１１２のガイドトラック１２１のトラッキングには、ＤＶＤの記録再生に用いられる赤色波長（第２の波長）のレーザ光が用いられる。以降において第２の波長のレーザ光を「ガイド光」と呼ぶ場合がある。
【００３５】
本実施形態の光記録システム１では、ガイドトラック１２１のランド部とグルーブ部のそれぞれにおいて、例えば、差動プッシュプル法（ＤＰＰ：Ｄｉｆｆｅｒｅｎｔｉａｌ Ｐｕｓｈ-Ｐｕｌｌ）などによるトラッキング制御が行われる。ガイドトラック１２１のランド部とグルーブ部のそれぞれにおいてトラッキング制御が行われることで、記録層１１３に対する情報の記録は０．３２μｍのトラックピッチで行うことが可能である。
以上がガイド層１１２の説明である。
【００３６】
記録層１１３は、例えばブルーレイディスク（登録商標）の記録再生に用いられる青色波長（第１の波長）のレーザ光を用いて０．３２μｍのトラックピッチで情報の記録が行われる層である。以後、第１の波長のレーザ光を「記録再生光」または「記録光」と呼ぶ場合がある。
【００３７】
記録層１１３は、例えば光吸収層と反射層等とにより構成される。光吸収層としてはシアニン系色素やアゾ系色素等の有機色素や、Ｓｉ、Ｃｕ、Ｓｂ、Ｔｅ、Ｇｅ等の無機材料が用いられる。記録光が多層光ディスク１１における目的の記録層１１３に照射されると、その記録光が照射された領域の反射率が変化し、反射率が変化した領域がピットとして形成されることで、記録層１１３に情報が記録される。
【００３８】
なお、記録層１１３への情報の記録時および再生時のトラッキング制御および物理アドレス情報、ならびに記録クロックなどの記録クロックの取得は、ガイド層１１２のガイドトラック１２１のウォブル信号を用いて行われるため、記録層１１３にはランド・グルーブ構造によるガイドトラック１２１は不要である。したがって、記録層１１３の表面は平坦でよい。
【００３９】
図５は多層光ディスク１１の平面図である。
同図に示すように、多層光ディスク１１のセンタ孔１２の周囲近傍には、当該多層光ディスク１１のディスクＩＤが記録されたＢＣＡ（Ｂｕｒｓｔ Ｃｕｔｔｉｎｇ Ａｒｅａ）１３が設けられている。
【００４０】
［ディスク搬送機構２０］
ディスク搬送機構２０は、ディスクカートリッジ１０から目的の多層光ディスク１１を取り出してドライブユニット３０内のディスクドライブ３１に装填したり、逆にディスクドライブ３１から排出された多層光ディスク１１をディスクカートリッジ１０に戻したりするための機構である。
【００４１】
ディスク搬送機構２０は、例えば、ディスクカートリッジ１０から同時あるいは順番連続して複数の多層光ディスク１１を取り出し、ドライブユニット３０内の複数のディスクドライブ３１に別々に装填することができるように、独立して動作可能な複数の搬送機構を備えたものであってもよい。
【００４２】
［ドライブユニット３０］
ドライブユニット３０には「ディスク記録再生部」である複数のディスクドライブ３１が搭載される。同図の例では、５機のディスクドライブ３１が搭載される。ディスクカートリッジ１０に収容される多層光ディスク１１の数とドライブユニット３０内に搭載されるディスクドライブ３１の数は必ずしも同じとする必要はない。
【００４３】
（ディスクドライブ３１の構成）
図６はディスクドライブ３１の構成を示す図である。
ディスクドライブ３１は、光ピックアップ３２を備える。
この光ピックアップ３２は、記録再生光に対応する第１の光学系と、ガイド光に対応する第２の光学系とを備える。
【００４４】
第１の光学系は、第１の光源３３、第１のコリメータレンズ３４、第１の偏光ビームスプリッタ３５、第１のリレーレンズ３６、第２のコリメータレンズ３７、合成プリズム３８、１／４波長板３９、対物レンズ６０、第１の受光レンズ６１および第１の受光部６２などで構成される。ここで、合成プリズム３８、１／４波長板３９、対物レンズ６０は、当該第１の光学系と後述する第２の光学系の両方に属する。
【００４５】
第１の光源３３は第１の波長のレーザ光を記録再生光Ｒ１として出射するレーザダイオードを備える。第１の光源３３から出射された記録再生光Ｒ１は第１のコリメータレンズ３４によって平行光とされ、第１の偏光ビームスプリッタ３５、第１のリレーレンズ３６及び第２のコリメータレンズ３７を介して合成プリズム３８に入射する。合成プリズム３８は、第２のコリメータレンズ３７から入射される記録再生光Ｒ１と、後述する第２の光学系に属する第３のコリメータレンズから入射される第２の波長のガイド光Ｒ２とを互いの光軸が一致するように合成し、１／４波長板３９を介して対物レンズ６０に入射させる。対物レンズ６０にて、入射された記録再生光は、多層光ディスク１１の目的の記録層１１３に合焦させるように集光される。
【００４６】
記録層１１３によって反射された記録再生光（戻り光）は、対物レンズ６０、１／４波長板３９を介して合成プリズム３８に入射し、合成プリズム３８を入射方向のまま透過して、第２のコリメータレンズ３７及び第１のリレーレンズ３６を介して第１の偏光ビームスプリッタ３５に戻る。第１の偏光ビームスプリッタ３５は、第１のリレーレンズ３６からの第１の波長の戻り光を約９０度の角度で反射して第１の受光レンズ６１を介して第１の受光部６２に入射させる。
【００４７】
第１の受光部６２は、受光面がディスク半径方向とタンジェンシャル方向に４分割された受光素子で構成され、分割された受光面毎に受光強度に応じたレベルの電圧信号を出力し、これらを加算した信号を記録データの再生信号として等化器７５に出力し、分割された受光面毎の電圧信号を図示しないフォーカス制御部などに出力する。
【００４８】
第２の光学系は、第２の光源６３、第３のコリメータレンズ６４、第２の偏光ビームスプリッタ６５、第２のリレーレンズ６６、第４のコリメータレンズ６７、合成プリズム３８、１／４波長板３９、対物レンズ６０、第２の受光レンズ６８および第２の受光部６９などで構成される。
【００４９】
第２の光源６３は、第２の波長のガイド光Ｒ２を出射する。第２の光源６３から出射されたガイド光Ｒ２は第３のコリメータレンズ６４によって平行光とされ、第２の偏光ビームスプリッタ６５、第２のリレーレンズ６６及び第４のコリメータレンズ６７を介して合成プリズム３８に入射する。合成プリズム３８に入射されたガイド光Ｒ２は、前述したように、合成プリズム３８にて第１の光学系の第２のコリメータレンズ３７から入射される第１の波長の記録再生光Ｒ１と光軸が一致するように合成され、１／４波長板３９を介して対物レンズ６０に入射される。対物レンズ６０にて、入射されたガイド光Ｒ２は多層光ディスク１１のガイド層１１２に合焦させるように集光される。
【００５０】
ガイド層１１２によって反射されたガイド光Ｒ２（戻り光）は、対物レンズ６０、１／４波長板３９を介して合成プリズム３８に入射し、合成プリズム３８にて約９０度の角度で反射され、第４のコリメータレンズ６７及び第２のリレーレンズ６６を介して第２の偏光ビームスプリッタ６５に戻る。第２の偏光ビームスプリッタ６５は、第２のリレーレンズ６６からのガイド光Ｒ２の戻り光を、約９０度の角度で反射して第２の受光レンズ６８を介して第２の受光部６９に入射させる。
【００５１】
第２の受光部６９は、例えば、受光面がトラックと直交するディスク半径方向に２分割された受光素子、あるいは、受光面がディスク半径方向とタンジェンシャル方向に４分割された受光素子、あるいは受光面が少なくとも２分割されたメインの受光素子とこのメインの受光素子のタンジェンシャル方向の両側にそれぞれ配置され、２分割された２つのサブの受光素子との組み合わせ、などで構成される。第２の受光部６９は、分割された各受光面の受光強度に応じたレベルの電圧信号を選択的にトラッキング制御部７１およびウォブル信号処理部７８などに出力する。
【００５２】
また、光ピックアップ３２には、トラッキングアクチュエータ７０とフォーカシングアクチュエータ（図示せず）が設けられている。トラッキングアクチュエータ７０はトラッキング制御部７１からのトラッキング駆動信号をもとに対物レンズ６０をディスク半径方向に移動させる。フォーカシングアクチュエータは、図示しないフォーカス制御部からのフォーカス駆動信号により対物レンズ６０を光軸方向に移動させる。
【００５３】
さらに、図示は省略したが、光ピックアップ３２には、記録再生光が照射される記録層１１３を切り替えるように第１のリレーレンズ３６を光軸方向に移動させる第１のリレーレンズアクチュエータと、第２のリレーレンズ６６を光軸方向に移動させる第２のリレーレンズアクチュエータが設けられている。
以上が、光ピックアップ３２の説明である。
【００５４】
ディスクドライブ３１は、上記の光ピックアップ３２のほか、データ変調部７２、第１の光源駆動部７３、第２の光源駆動部７４、等化器７５、データ再生部７６、ＢＣＡ処理部７７、トラッキング制御部７１、ウォブル信号処理部７８、ディスクモータ駆動部７９、フィード機構８０、コントローラ８２、さらには図示しないフォーカス制御部、リレーレンズ制御部などを有する。
【００５５】
データ変調部７２は、コントローラ８２より供給された記録用のデータを記録マークの形成に適したビット列信号に変調し、変調信号を第１の光源駆動部７３に供給する。
【００５６】
第１の光源駆動部７３は、データ変調部７２からの変調信号をもとに第１の光源３３を駆動するための駆動パルスを生成する。
【００５７】
等化器７５は、第１の受光部６２からの再生ＲＦ信号に対して、例えばＰＲＭＬ（Ｐａｒｔｉａｌ Ｒｅｓｐｏｎｓｅ Ｍａｘｉｍｕｍ Ｌｉｋｅｌｉｈｏｏｄ）などの等化処理を行ってから所定のスライスレベルで二値化する。
【００５８】
データ再生部７６は、等化器７５より出力された二値信号からデータを復調し、復調されたデータから誤り訂正などの復号処理を行って再生データを生成し、コントローラ８２に供給する。
【００５９】
ＢＣＡ処理部７７は、第１の受光部６２からの再生ＲＦ信号をもとにＢＣＡに記録されたディスクＩＤ（ディスク識別子）を再生する。
【００６０】
トラッキング制御部７１は、第２の受光部６９の分割された各受光面の電圧信号をもとに、例えばＰＰ（プッシュプル）法あるいはＤＰＰ（差動プッシュプル）法などによってトラッキングエラー信号を生成し、このトラッキングエラー信号をもとにトラッキングアクチュエータ７０に供給するトラッキング駆動信号を生成する。
【００６１】
ウォブル信号処理部７８は、第２の受光部６９の出力をもとにウォブル信号を再生し、物理アドレス情報を復調してコントローラ８２に供給する。また、ウォブル信号処理部７８はウォブル信号から基準の記録クロックを生成する。
【００６２】
ディスクモータ駆動部７９は、ディスクモータ制御部８１による制御のもと多層光ディスク１１を回転駆動させるディスクモータ８５に駆動信号を供給する。
【００６３】
フィード機構８０は、光ピックアップ３２を多層光ディスク１１の半径方向に搬送する機構である。
【００６４】
図示しないフォーカス制御部は、図示しないフォーカスエラー生成部からのフォーカスエラー信号をもとにフォーカシングアクチュエータにフォーカス駆動信号を供給して対物レンズ６０を光軸方向に移動させる。
【００６５】
コントローラ８２は、ＣＰＵ（Ｃｅｎｔｒａｌ Ｐｒｏｃｅｓｓｉｎｇ Ｕｎｉｔ）、ＲＯＭ（Ｒｅａｄ Ｏｎｌｙ Ｍｅｍｏｒｙ）、ＲＡＭ（Ｒａｎｄｏｍ Ａｃｃｅｓｓ Ｍｅｍｏｒｙ）などを備える。コントローラ８２は、ＲＡＭに割り当てられたメインメモリの領域にロードされたプログラムに基づいて、ディスクドライブ３１の全体の制御を行う。
【００６６】
ドライブユニット３０には、上記のディスクドライブ３１が複数搭載され、それぞれ独立して制御可能とされ、装填された多層光ディスク１１に対する情報の記録および再生をそれぞれ同時に行うことができる。
【００６７】
［ＲＡＩＤコントローラ４０］
ＲＡＩＤ（Ｒｅｄｕｎｄａｎｔ Ａｒｒａｙｓ ｏｆ Ｉｎｅｘｐｅｎｓｉｖｅ Ｄｉｓｋｓ）コントローラ４０は、ホスト装置５０からの記録命令などに対して、ドライブユニット３０内の１以上のディスクドライブ３１にデータを多重に記録したり、ストライピングにより分散して記録したりするＲＡＩＤ制御を行う。
【００６８】
ＲＡＩＤコントローラ４０より記録または再生の指示が与えられたそれぞれのディスクドライブ３１のコントローラ８２は、多層光ディスク１１に対してデータを記録したり再生したりするための制御を行う。
【００６９】
［ホスト装置５０］
ホスト装置５０は、本光記録システム１を制御する最上位の装置である。ホスト装置５０はパーソナルコンピュータでもよい。ホスト装置５０は、記録用のデータを作成または準備し、ＲＡＩＤコントローラ４０に対して当該記録用のデータの記録命令を供給する。また、ホスト装置５０は、ユーザなどより指定されたファイル名を含む読出命令をＲＡＩＤコントローラ４０に供給し、ＲＡＩＤコントローラ４０よりその応答として該当するファイル名のデータを取得する。
【００７０】
図３に示したように、ホスト装置５０は、ＣＰＵ５１、メモリ５２、ドライブＩ／Ｆ５３、ディスク搬送機構Ｉ／Ｆ５４、ＲＦリード／ライタＩ／Ｆ５５、システムバス５６を有する。
【００７１】
ＣＰＵ５１（制御部）は、メモリ５２に格納されたプログラムを実行するための演算処理を行うとともに、システムバス５６を通じて各部との情報のやりとりを制御する。
メモリ５２は、ＣＰＵ５１に実行させるプログラムや演算結果などが格納されるメインメモリである。
【００７２】
ドライブＩ／Ｆ５３は、ＲＡＩＤコントローラ４０を通じて複数のディスクドライブ３１と通信するためのインタフェースである。
【００７３】
ディスク搬送機構Ｉ／Ｆ５４は、ディスク搬送機構２０と通信するためのインタフェースである。
【００７４】
ＲＦリード／ライタＩ／Ｆ５５は、ＲＦタグリード／ライタ５７と通信するためのインタフェースである。ＲＦタグリード／ライタ５７は、ディスクカートリッジ１０の設けられた記録部であるＲＦタグ１５に対して記録および読み出しを行うことが可能なアクセス部として用いられる。この実施形態では、記録部であるＲＦタグ１５に対して記録および読み出しの両方を行うことが可能なアクセス部を採用したが、本発明はこれに限定されるものではない。
【００７５】
［光記録システム１の動作］
次に、この光記録システム１の動作を説明する。
【００７６】
（ディスクドライブによる多層光ディスクへの基本的な記録動作）
ホスト装置５０からＲＡＩＤコントローラ４０を通じて、ドライブユニット３０内の１以上のディスクドライブ３１のコントローラ８２にユーザデータの記録命令がそれぞれ与えられる。記録命令を受けたときの各ディスクドライブ３１の動作は同様であるため、一つのディスクドライブ３１の動作について説明する。
【００７７】
ディスクドライブ３１のコントローラ８２は、光ピックアップ３２を多層光ディスク１１の記録層１１３の記録領域においてデータが未記録の領域の最内周に対応する位置にそれぞれ移動させるようにフィード機構８０を制御するとともに、ディスクモータ駆動部７９を制御してディスク１１をＣＬＶ方式またはＣＡＶ方式において適切な速度で回転駆動させる。
【００７８】
さらに、コントローラ８２は、多層光ディスク１１の目的の記録層１１３に光ピックアップ３２の対物レンズ６０からの記録光が焦点をむすぶように、光ピックアップ３２の第１のリレーレンズ３６の光軸方向の位置を制御するとともに、多層光ディスク１１のガイド層１１２に光ピックアップ３２の対物レンズ６０からのガイド光が焦点をむすぶように光ピックアップ３２の第２のリレーレンズ６６の光軸方向の位置を制御する。
【００７９】
ディスクドライブ３１のコントローラ８２は、ホスト装置５０からＲＡＩＤコントローラ４０を通じて転送されてきた記録用のデータをデータ変調部７２に供給する。データ変調部７２では、記録用のデータの変調およびエラー訂正符号の付加などが行われることによって記録信号が生成され、第１の光源駆動部７３に供給される。第１の光源駆動部７３は、記録信号をもとに第１の光源３３の駆動用パルスを生成して第１の光源３３に供給する。同時にコントローラ８２は、第２の光源６３を駆動するように第２の光源駆動部７４に制御信号を出力する。これにより光ピックアップ３２からの記録光による記録層１１３へのデータの記録が開始される。すなわち、多層光ディスク１１の目的の記録層１１３に対して内周から外周へ向けてＣＬＶ方式またはＣＡＶ方式でのデータ記録が開始される。
【００８０】
（多層光ディスクの正規判定）
この実施形態の光記録システム１において、ホスト装置５０のＣＰＵ５１は、メモリ５２に格納されたプログラムに従って、ドライブユニット３０の各ディスクドライブ３１に装填された多層光ディスク１１の正規判定の処理を次のように行う。
【００８１】
この処理の概要を説明すると、ホスト装置５０のＣＰＵ５１は、ディスクカートリッジ１０に設けられたＲＦタグ１５に、当該ディスクカートリッジ１０からそれぞれのディスクドライブ３１に装填された複数の多層光ディスク１１のディスクＩＤを「複数の光ディスクとディスクカートリッジとを紐付けるための情報」として記録する。
以後、ＲＦタグ１５に既に複数のディスクＩＤが記録されたディスクカートリッジ１０が光記録システム１にセットされたとき、ホスト装置５０のＣＰＵ５１は、ＲＦタグ１５から読み込んだ複数のディスクＩＤと、それぞれのディスクドライブ３１に装填された多層光ディスク１１から読み込んだディスクＩＤとを照合する。これにより、それぞれのディスクドライブ３１に装填された多層光ディスク１１が、当該ディスクカートリッジ１０に紐付けられた正規のディスクであるかどうかを判定することができる。
【００８２】
以下、上記の多層光ディスクの正規判定処理の詳細を、
１．ディスクカートリッジ１０のＲＦタグ１５へのディスクＩＤの記録
２．ディスクＩＤの照合による多層光ディスクの正規判定
３．ディスクＩＤの照合による多層光ディスクの欠落判定
の順で説明する。
【００８３】
図７は第１の実施形態の光記録システム１における多層光ディスクの正規判定に関するフローチャートである。
【００８４】
１．カートリッジ１０のＲＦタグ１５へのディスクＩＤの記録
ホスト装置５０のＣＰＵ５１は、ＲＦリード／ライタＩ／Ｆ５５を通じてＲＦタグリード／ライタ５７にＲＦタグ１５の探索を実行させる。ディスクカートリッジ１０が光記録システム１内の所定の位置にセットされると、ＲＦタグリード／ライタ５７とそのディスクカートリッジ１０に設けられたＲＦタグ１５との非接触通信が開始される。ホスト装置５０のＣＰＵ５１は、ＲＦタグ１５との非接触通信が開始されたことを知ると（ＳＴＡＲＴ）、ＲＦタグリード／ライタ５７を制御して、ＲＦタグ１５にディスクＩＤが記録されているかどうかを確認する（ステップＳ１０１）。
【００８５】
ここで、初期状態においてはＲＦタグ１５にディスクＩＤが記録されていない場合を想定する。ホスト装置５０のＣＰＵ５１は、ＲＦタグ１５にディスクＩＤが記録されていないことを知ると（ステップＳ１０１のＮＯ）、ディスク搬送機構Ｉ／Ｆ５４を通じてディスク搬送機構２０を制御して、ディスクカートリッジ１０内の各多層光ディスク１１をそれぞれドライブユニット３０内の各ディスクドライブ３１に搬送させる（ステップＳ１０２）。
【００８６】
それぞれのディスクドライブ３１に多層光ディスク１１が装填された後、ホスト装置５０のＣＰＵ５１は、ドライブＩ／Ｆ５３を通じてドライブユニット３０内の各ディスクドライブ３１に対して、ＢＣＡに記録されたディスクＩＤの読み込みを指示する。
【００８７】
ホスト装置５０のＣＰＵ５１は、ドライブＩ／Ｆ５３を通じてドライブユニット３０内の各ディスクドライブ３１によって読み込まれたそれぞれのディスクＩＤを「ディスクカートリッジ１０に対応するディスクＩＤのセット」として取得し（ステップＳ１０３）、このディスクＩＤのセットを含むライト命令をＲＦリード／ライタＩ／Ｆ５５を通じてＲＦタグリード／ライタ５７に出力する。
【００８８】
ＲＦタグリード／ライタ５７は、このライト命令に従って、ディスクカートリッジ１０に設けられたＲＦタグ１５に対して、当該ライト命令に含まれるディスクＩＤのセットを記録するように通信する（ステップＳ１０４）。これにより、ＲＦタグ１５の不揮発性の記憶素子に、ディスクカートリッジ１０に対応するディスクＩＤのセットが記録される。
【００８９】
２．ディスクＩＤの照合による多層光ディスクの正規判定
次に、ドライブユニット３０内のディスクドライブ３１に装填された多層光ディスク１１がディスクカートリッジ１０に紐付けられた正規のディスクであるかどうかを判定する場合の動作を説明する。
【００９０】
図７のステップＳ１０１の、ＲＦタグ１５にディスクＩＤが記録されているかどうかの判定で、ディスクＩＤが記録されていることが判定された場合（ステップＳ１０１のＹＥＳ）、ディスクＩＤのセットのリード命令をＲＦリード／ライタＩ／Ｆ５５を通じてＲＦタグリード／ライタ５７に出力する。ＲＦタグリード／ライタ５７は、このリード命令に従ってＲＦタグ１５からディスクＩＤのセットを読み出し、ＲＦリード／ライタＩ／Ｆ５５を通じてＣＰＵ５１に応答する。ホスト装置５０のＣＰＵ５１は、ＲＦタグ１５に記録されているディスクＩＤのセットを取得すると（ステップＳ１０５）、これをメモリ５２に保存する。
【００９１】
この後、ホスト装置５０のＣＰＵ５１は、ディスクカートリッジ１０内の各多層光ディスク１１をそれぞれドライブユニット３０内の各ディスクドライブ３１に搬送させた後（ステップＳ１０６）、ドライブＩ／Ｆ５３を通じてドライブユニット３０内の各ディスクドライブ３１に対して、ＢＣＡに記録されたディスクＩＤの読み込みをそれぞれ指示する。
【００９２】
ホスト装置５０のＣＰＵ５１は、ドライブＩ／Ｆ５３を通じてドライブユニット３０内の各ディスクドライブ３１によって読み込まれたそれぞれのディスクＩＤを取得すると（ステップＳ１０７）、取得した個々のディスクＩＤをメモリ５２に保存されたディスクＩＤのセットと照合する（ステップＳ１０８）。ディスクドライブ３１より取得したそれぞれのディスクＩＤがメモリ５２に保存されたディスクＩＤのセットの中のいずれかと一致すれば、ホスト装置５０のＣＰＵ５１は、ドライブユニット３０内の各ディスクドライブ３１に装填されたそれぞれの多層光ディスク１１がディスクカートリッジ１０に紐付けられた正規のディスクのセットであることを判定し、ドライブユニット３０内の各ディスクドライブ３１によるユーザデータの記録のための処理が開始される（ステップＳ１０９）。
【００９３】
また、メモリ５２に保存されたディスクＩＤのセットの中のどれとも一致しないディスクＩＤが検出された場合、ホスト装置５０のＣＰＵ５１は、ディスクカートリッジ１０に紐付けられていない非正規の多層光ディスク１１がディスクドライブ３１に装填されていることを判定し、当該非正規の多層光ディスク１１のディスクＩＤおよびこの多層光ディスク１１が装填されているディスクドライブ３１の機器ＩＤをホスト装置５０に接続された図示しないディスプレイ等に表示させるなどのエラー処理を行う（ステップＳ１１０）。
【００９４】
ここで、ホスト装置５０のユーザは、このエラー処理に応じて、例えば、その機器ＩＤのディスクドライブ３１から非正規の多層光ディスク１１の排出の指示を入力することができる。ホスト装置５０のＣＰＵ５１は、この指示に従って、該当するディスクドライブ３１から当該非正規の多層光ディスク１１を排出するようにドライブＩ／Ｆ５３を通じて該当するディスクドライブ３１に命令を送るとともに、当該ディスクドライブ３１から排出された非正規の多層光ディスク１１をディスクカートリッジ１０に戻すようにディスク搬送機構Ｉ／Ｆ５４を通じてディスク搬送機構２０に命令を送る。これにより、非正規の多層光ディスク１１がディスクカートリッジ１０に戻される。
【００９５】
あるいはユーザは、ドライブユニット３０内のすべてのディスクドライブ３１からの多層光ディスク１１の排出の指示を入力してもよい。ホスト装置５０のＣＰＵ５１は、この指示に従って、すべてのディスクドライブ３１から多層光ディスク１１を排出するようにドライブＩ／Ｆ５３を通じてすべてのディスクドライブ３１に命令を送るとともに、すべてのディスクドライブ３１から排出された多層光ディスク１１をディスクカートリッジ１０に戻すようにディスク搬送機構Ｉ／Ｆ５４を通じてディスク搬送機構２０に命令を送る。これにより、非正規の多層光ディスク１１を含む各多層光ディスク１１がディスクカートリッジ１０にすべて戻される。
【００９６】
３．ディスクＩＤの照合による多層光ディスクの欠落判定
ディスクカートリッジ１０に紐付けられた複数の多層光ディスク１１の一部がディスクカートリッジ１０に収容されていない場合、ホスト装置５０のＣＰＵ５１は、ＲＦタグ１５から読み込まれたディスクＩＤと、それぞれのディスクドライブ３１に装填された多層光ディスク１１から取得したディスクＩＤとの照合により、欠落している多層光ディスク１１のディスクＩＤを判定することが可能である。この場合、その欠落している多層光ディスク１１のディスクＩＤをホスト装置５０に接続された図示しないディスプレイ等に表示させるなどのエラー処理が行われる。
【００９７】
ユーザはこのエラー処理に応じて、例えば、欠落している多層光ディスク１１をディスクカートリッジ１０に補填する作業を行うことができる。
【００９８】
以上説明したように、本実施形態の光記録システム１では、ディスクカートリッジ１０とこれに正規に収容される複数の多層光ディスク１１とをディスクＩＤを用いて論理的に紐付けることができる。このため、ディスクカートリッジ１０において一部の多層光ディスク１１の入れ替わりや欠落などが発生していることをホスト装置５０が判定してユーザに通知することができる。アクセスエラーが発生する前にユーザに通知されるため、システムの信頼性に対するユーザによる評価を大きく損ねることがない。
【００９９】
また、本実施形態の光記録システム１では、多層光ディスク１１のディスクＩＤをディスクカートリッジ１０と多層光ディスク１１とを紐付けるための情報として用いることで、ディスクカートリッジ１０のＲＦタグ１５などの記録部にディスクＩＤを記録するだけで互いの紐付けを行うことができ、紐付けのための新たな情報を定義する必要がない。
【０１００】
さらに、多層光ディスク１１のディスクＩＤをディスクカートリッジ１０と多層光ディスク１１とを紐付けるための情報として用いることで、ディスクカートリッジ１０内で欠落している多層光ディスク１１のディスクＩＤを判別することができ、ディスクカートリッジ１０に収容される複数の多層光ディスク１１のセットを復旧させる作業の効率化を図れる。
【０１０１】
＜変形例１＞
上記の実施形態では、多層光ディスク１１のＢＣＡからディスクＩＤを取得する場合について説明したが、例えば、図８に示すように、多層光ディスク１１の例えばガイド層１１２のリードイン領域にディスクＩＤをプリライトしておき、このリードイン領域から読み込んだディスクＩＤを用いるようにしてもかまわない。
【０１０２】
＜第２の実施形態＞
次に、本発明に係る第２の実施形態を説明する。
第１の実施形態の光記録システム１との相違点は以下の点にある。
【０１０３】
１．第１の実施形態のディスクカートリッジ１０のＲＦタグ１５には、多層光ディスクから読み込まれたディスクＩＤが記録されることとした。第２の実施形態では、図９に示すように、記録部である例えばＲＦタグ１５Ａに、予め、ディスクカートリッジ１０毎に固有のＩＤ（以下「カートリッジＩＤ」と呼ぶ。）が記録されている。
２．ホスト装置５０のＣＰＵ５１は、ＲＦタグ１５Ａから読み込んだカートリッジＩＤを、ディスクドライブ３１に装填された多層光ディスク１１Ａの記録層１１３Ａのリードイン領域（図１０参照）などに記録する。
【０１０４】
すなわち、第２の実施形態では、カートリッジＩＤが、複数の光ディスクとディスクカートリッジとを紐付けるための情報として利用される。
【０１０５】
図１０は第２の実施形態の多層光ディスク１１Ａにおけるガイド層１１２Ａおよび記録層１１３Ａの物理フォーマットを示す図である。
ガイド層１１２Ａおよび記録層１１３Ａは、半径方向における位置によって内周側よりリードイン領域、データ領域、リードアウト領域に各層共通に区分される。
【０１０６】
ガイド層１１２Ａのリードイン領域には、多層光ディスク１１Ａに固有の管理情報がガイドトラックのウォブル変調、あるいはピット列などによって予め記録されている。多層光ディスク１１Ａに固有の管理情報としては、例えば、ディスクＩＤ、記録層の数、記録方式、記録線速度、記録再生時のレーザパワーおよびレーザ駆動パルス波形などの推奨データ、ユーザデータ領域のアドレス、ＯＰＣ領域のアドレスなどを含む。
【０１０７】
ガイド層１１２のデータ領域には、当該データ領域に対して割り当てられた物理アドレス情報が、ガイドトラック１２１のウォブル変調、あるいはランドとグルーブにそれぞれ設けられたピット列などによって予め記録されている。なお、ガイド層１１２のリードアウト領域にも、リードイン領域に記録された情報と同一の情報がウォブル変調などによって予め記録されていてもよい。
【０１０８】
記録層１１３のリードイン領域は、記録層１１３への記録再生に用いられる管理情報がピット列によって記録される領域である。記録層１１３への記録再生に用いられる管理情報としては、例えば、記録済み領域の先頭アドレスおよび終了アドレス、欠陥領域のアドレスと交替領域のアドレスとの対応を示す欠陥管理情報、ＯＰＣ処理によって得られた最適な記録レーザパワーの値などのＯＰＣデータなどがある。記録層１１３のリードイン領域は、さらに、上記のカートリッジＩＤなども記録される。
【０１０９】
なお、第２の実施形態に関して、記録部は情報の記録および読み出しが可能なＲＦタグ１５Ａであることに限らず、読み出し専用のＲＦタグであってもよい。その他、第２の実施形態に関する記録部としては、カートリッジＩＤを予め記録しておき、これをアクセス部が読み出すことが可能なものであれば何でもよく、例えば、バーコード、ＱＲ（登録商標）コードのような記録情報の印刷物であってもよい。したがって、この場合、アクセス部は記録部から読み出しのみ可能なものであればよい。
【０１１０】
その他の構成は、第１の実施形態の光記録システム１と同様であるため、説明は省略する。
【０１１１】
次に、第２の実施形態における多層光ディスクの正規判定に関する処理を、
１Ａ．多層光ディスクへのカートリッジＩＤの記録
２Ａ．カートリッジＩＤの照合による多層光ディスクの正規判定
の順で説明する。
【０１１２】
図１１は第２の実施形態の光記録システムにおける多層光ディスクの正規判定に関するフローチャートである。
【０１１３】
１Ａ．多層光ディスクへのカートリッジＩＤの記録
ホスト装置５０のＣＰＵ５１は、ＲＦリード／ライタＩ／Ｆ５５を通じてＲＦタグリード／ライタ５７にＲＦタグ１５の探索を実行させる。ディスクカートリッジ１０Ａが光記録システム１内の所定の位置にセットされると、ＲＦタグリード／ライタ５７とそのディスクカートリッジ１０Ａに設けられたＲＦタグ１５Ａとの非接触通信が開始される。ホスト装置５０のＣＰＵ５１は、ＲＦタグ１５Ａとの非接触通信が開始されたことを知ると（ＳＴＡＲＴ）、ＲＦタグリード／ライタ５７を制御して、そのＲＦタグ１５Ａに記録されているカートリッジＩＤを読み出し、メモリ５２に保存する（ステップＳ２０１）。
【０１１４】
次に、ホスト装置５０のＣＰＵ５１は、ディスク搬送機構Ｉ／Ｆ５４を通じてディスク搬送機構２０を制御して、ディスクカートリッジ１０Ａ内の各多層光ディスク１１Ａをそれぞれドライブユニット３０内の各ディスクドライブ３１に搬送させる（ステップＳ２０２）。
【０１１５】
それぞれのディスクドライブ３１に多層光ディスク１１Ａが装填された後、ホスト装置５０のＣＰＵ５１は、ドライブＩ／Ｆ５３を通じてドライブユニット３０内の各ディスクドライブ３１に対して、記録層１１３Ａのリードイン領域からのカートリッジＩＤの読み込みを試みるように指示を送る。
【０１１６】
ここで、ディスクカートリッジ１０Ａからドライブユニット３０内の各ディスクドライブ３１にそれぞれ装填された多層光ディスク１１Ａが今回初めて装填されたディスクである場合には、記録層１１３Ａのリードイン領域にカートリッジＩＤが記録されていない。したがって、この場合には、多層光ディスク１１Ａが装填されたすべてのディスクドライブ３１からホスト装置５０のＣＰＵ５１にカートリッジＩＤの読み込みの失敗が通知される（ステップＳ２０３のＮＯ）。ホスト装置５０のＣＰＵ５１は、これらの通知を受けると、メモリ５２に保存しておいたカートリッジＩＤを読み込み、ドライブＩ／Ｆ５３を通じてドライブユニット３０内の各ディスクドライブ３１に対して、リードイン領域への当該カートリッジＩＤの記録を行うように指示する。
【０１１７】
ドライブユニット３０内の各ディスクドライブ３１はそれぞれ、この指示に従って、自身に装填された多層光ディスク１１Ａのリードイン領域にカートリッジＩＤを記録する（ステップＳ２０４）。
【０１１８】
２Ａ．カートリッジＩＤの照合による多層光ディスクの正規判定
次に、ドライブユニット３０内のディスクドライブ３１に装填された多層光ディスク１１Ａがディスクカートリッジ１０Ａに紐付けられた正規のディスクであるかどうかを判定する場合の動作を説明する。
【０１１９】
図１１のステップＳ２０３で、各ディスクドライブ３１に装填された多層光ディスク１１Ａに既にカートリッジＩＤが記録されている場合（ステップＳ２０３のＹＥＳ）、各ディスクドライブ３１はそのカートリッジＩＤを読み込み、ホスト装置５０のＣＰＵ５１に転送する。ホスト装置５０のＣＰＵ５１は、各ディスクドライブ３１よりカートリッジＩＤを取得すると（ステップＳ２０５）、取得した個々のカートリッジＩＤをメモリ５２に保存されたカートリッジＩＤとそれぞれ照合する（ステップＳ２０６）。
【０１２０】
この照合により、各ディスクドライブ３１より取得した個々のカートリッジＩＤがメモリ５２に保存されたカートリッジＩＤとすべて一致すれば（ステップＳ２０６のＹＥＳ）、ホスト装置５０のＣＰＵ５１は、ドライブユニット３０内の各ディスクドライブ３１に装填されたそれぞれの多層光ディスク１１Ａがディスクカートリッジ１０Ａに紐付けられた正規のディスクのセットであることを判定し、ドライブユニット３０内の各ディスクドライブ３１によるユーザデータの記録のための処理が開始される（ステップＳ２０７）。
【０１２１】
また、いずれかのディスクドライブ３１より取得したカートリッジＩＤがメモリ５２に保存されたカートリッジＩＤと一致しない場合には、ホスト装置５０のＣＰＵ５１は、そのディスクドライブ３１に装填された多層光ディスク１１Ａがディスクカートリッジ１０Ａに紐付けられていない非正規の多層光ディスク１１Ａであることを判定し、当該非正規の多層光ディスク１１ＡのディスクＩＤおよびこの非正規の多層光ディスク１１Ａが装填されているディスクドライブ３１の機器ＩＤをホスト装置５０に接続された図示しないディスプレイ等に表示させるなどのエラー処理を行う（ステップＳ２０８）。
【０１２２】
以上説明したように、本実施形態によれば、ディスクカートリッジ１０Ａとこれに正規に収容される複数の多層光ディスク１１ＡとをカートリッジＩＤを用いて論理的に紐付けることができる。このため、ディスクカートリッジ１０Ａにおいて一部の多層光ディスク１１Ａの入れ替わりや欠落などが発生していることをホスト装置５０が判定してユーザに通知することができる。アクセスエラーが発生する前にユーザに通知されるため、システムの信頼性に対するユーザによる評価を大きく損ねることがない。
【０１２３】
本発明は、上述の実施形態にのみ限定されるものではなく、本発明の要旨を逸脱しない範囲内において種々変更を加え得ることは勿論である。
【符号の説明】
【０１２４】
１…光記録システム
１０…ディスクカートリッジ
１１…多層光ディスク
１３…ＢＣＡ
１５…ＲＦタグ
３０…ドライブユニット
３１…ディスクドライブ
５０…ホスト装置
５１…ＣＰＵ
５２…メモリ
５３…ドライブＩ／Ｆ
５５…ＲＦリード／ライタＩ／Ｆ
５７…ＲＦタグリード／ライタ
【図１】
2014029749.tif 000003
【図２】
2014029749.tif 000004
【図３】
2014029749.tif 000005
【図４】
2014029749.tif 000006
【図５】
2014029749.tif 000007
【図６】
2014029749.tif 000008
【図７】
2014029749.tif 000009
【図８】
2014029749.tif 000010
【図９】
2014029749.tif 000011
【図１０】
2014029749.tif 000012
【図１１】
2014029749.tif 000013